(57)【要約】【課題】      全身が加温されて発汗を促し、美容やダイエット、その他腰痛や生理痛を緩和し疲労回復や寒気防止などを図ることのできる温熱シートの開発。【解決手段】  温熱シートは、導線を織り込んだ繊維にナノ・カーボンなどを含む導電塗料を含浸した面状発熱体を熱源として、袋状の温熱シートに横臥して通電することで発熱と遠赤外線の放射により発汗作用を促進させ、美容やダイエット、その他腰痛や生理痛を緩和し疲労回復に利用できる。【選択図】図１
2008100016.tif 000002
【特許請求の範囲】
【請求項１】
導線を織り込んだ繊維に導電塗料を含浸させた面状発熱体を熱源として、通電することで面状発熱体からの発熱と遠赤外線の放射により利用者の身体を加温し、腰痛、生理痛、疲労を緩和させ、さらに発汗作用を促して汗とともに老廃物や余剰水分を体外に排出することで、美容やダイエットなどの効果を供することを特徴とした温熱シート。
【請求項２】
前述の温熱シートは発熱・発汗効率を高めるために、面状発熱体の１面は断熱性の高い素材で被覆し、防水・防汚性を有する素材の外装シートでさらにそれら全体を被覆し、この温熱シート２枚を重ねまたは温熱シートとビニルシートとを重ねて袋状として、利用することを特徴とした請求項１に記載の温熱シート。
【請求項３】
前述の温熱シートは、温度調節、温度センサー、タイマーや移動して利用する場合の蓄電池ホルダーなどを必要に応じた装置を具備していることを特徴とした請求項１および請求項２に記載の温熱シート。
【発明の詳細な説明】
【技術分野】
【０００１】  本発明は、導線を織り込んだ繊維にナノ・カーボンなどの導電素材を含む塗料を含浸しシート状にした面状発熱体を熱源として、面状発熱体からの発熱と多量に放射される遠赤外線により、疲労回復、腰痛や生理痛などの痛みの緩和、またさらに全身が加温されて発汗にすることより老廃物や余剰水分を体外に排出し、美容やダイエット効果が期待できる温熱シートを提案するものである。
【技術背景】
【０００２】  古くから打ち身や捻挫、肩こりなどには赤外線照射ランプを患部にあて加温することで痛みを緩和したり、入浴による温熱と発汗を疲労の回復に利用していたが、最近ではその両方の効果が得られるサウナや岩盤浴が流行している。
【０００３】  サウナや岩盤浴は、高温、高湿と遠赤外線の放射が複合されて、身体を芯から温める温熱効果により痛みを緩和するとともに、大量の発汗を促して余分な水分や老廃物を排出し、疲労の回復のほかに美容やダイエットにも効用があるといわれている。
【０００４】  中でも岩盤浴は４０〜６０℃と比較的低温でありながら、発熱する岩盤に利用者は横臥して身体を接し、さらに遠赤外線の放射を直接身体に受け加温されることで、身体の芯がら体温が上昇して多量に発汗する。
【０００５】  このように多量の発汗をする岩盤浴は、特に美容やダイエットに関心の高い女性に人気であるが、しかしこのところ不特定多数が利用することで起こりがちなレジオネラ菌の発生が一部で指摘され、衛生面での不安が問題視されるようになると、安全にこれらの効用を利用できる方法が望まれるようになってきた。
【発明の開示】
【発明が解決しようとする課題】
【０００６】  前述のような衛生面、また銭湯などに比べると高い利用料金、共同浴場という他人への気兼ねなどを含めて、このような要求に対する解決方法として最近家庭で岩盤浴が安易に利用できる装置を開発、発売され始めている。【０００７】  しかし、現在市販されている家庭用の岩盤浴装置はカプセル状で、かなりのスペースを必要とするとともに高価でもありまだごく一部にしか利用できないために、価格、スペース、簡便性、維持費などにおいて、広く一般にも容易に岩盤浴の効果を利用できる装置の更なる開発が望まれていた。
【課題を解決するための手段】
【０００８】  サウナは１００℃前後、岩盤浴は５０℃前後といわれるが、従来の風呂と比較して多量に発汗されるのは、空間を高湿状態にして温熱と大量の遠赤外線が効率よく放射されることで身体を芯から温めることによっている。【０００９】  本発明は、上記したように岩盤浴の効果を、一般の家庭でも容易に利用できるために発明されたもので、必要な熱源を面状発熱体による発熱と遠赤外線の放射、そして高湿は放熱空間を狭めることとにより可能とした温熱シートである。【００１０】  この面状発熱体は、通電すると短時間で全面が５０℃程度まで発熱し多量の遠赤外線が放射されるが、この構造は以下の如くである。【００１１】  温熱シートに利用する面状発熱体は、綿布の両端に極細の導電線を織り込んだ特殊布に、ナノ・カーボン導電塗料を含浸させた面状発熱体であり、絶縁、保護のためにポリエチレンフイルムや不織布などの保護シートで被覆している。【００１２】  さらに面状発熱体は、放熱を防ぎ発熱効率を上げるために上記保護シートで被覆した面状発熱体の１面は、アルミシート、発泡ウレタン、ポリエチレンなどの断熱材を複合し、さらにもう１面にはビニル、ポリプロピレンなどの防水・防汚性を有する素材の外装シートで全体を被覆する。【００１３】  なお、この温熱シートに岩盤浴などで多用されている麦飯石やラジウム石、ゲルマニュウム石、トルマリン、プラックシリカなど遠赤外線を多く放射する鉱物、または加工物を微粉末状にして不織布などの袋状素材に適量敷き詰めた遠赤外線放射シートを複層することで、面状発熱体の発熱により励起されて遠赤外線をさらに多量に放射することも可能である。【００１４】  熱源となる面状発熱体は、単位面積あたりの電流密度が少ないことから感電ややけどの心配はなく、ＡＣまたはＤＣ電源が使用できて使用電力料も安価であるとともに、有害電磁波の発生もないために家庭で使用するにも安全である。【００１５】  また面状発熱体は、繊維と同様に通常の衝撃や加重に耐え、更に熱膨張や収縮も吸収して洗濯も可能であり、裁断をしても断線しないことから形状が自在に加工でき、万一面状発熱体の部分に穴が開いた場合でも、発熱に支障がなく耐久性にも優れている。【００１６】  さらにこの面状発熱体から放射される遠赤外線の波長は１０〜１５ミクロンであり、この波長は太陽エネルギーから生体が吸収し細胞の代謝が活発化して、発育が促進されるに好ましい「生育光線」といわれる６〜１５ミクロンの遠赤外スペクトルに近似したもので、身体に対しても良い影響を与えることができる。【００１７】  この温熱シートは巻き取り収納し、広げて電源を差し込めば使用できるという簡便さで、省スペースであり取り扱いも簡便である。【００１８】  このような特徴を持っている面状発熱体は、従来は床暖房や融雪マットなどとして利用されており、それらは大量に発生する遠赤外線により期待される効果を発揮している実績がある。【００１９】  発明者は最近の岩盤浴ブームに、低コストの材料として面状発熱体の利用が可能であることに着眼していたが、その後に発生したレジオネラ菌問題などから安全衛生面を考慮するに、一般家庭で自由な時間に簡単に発汗作用により目的とする美容やダイエット、または腰痛や生理痛を緩和し疲労回復のための効果が得られる温熱シートとして発案することとした。
【発明を実施するための最良の形態】
【００２０】  上記した本発明の具体的な実施形態を添付図面に従って説明すると以下のとおりである。なお、以下に示す実施形態は、単に本発明の説明のためであり、発明思考の限定を意図するものではない。【００２１】  すなわち、図１は本発明の温熱シートの断面図で、面状発熱体を絶縁、保護のためポリエチレンフイルムや不織布などの素材を用いて保護シートとして被覆し、さらに床面に接する１面には発熱温度の放熱を防ぐためのアルミシート、発泡ウレタン、ポリエチレンなどの素材により断熱シートとして複合し、さらにビニル、ポリプロピレンなどの防水・防汚性を有する素材を外装シートとして全体を被覆している。【００２２】  なお、面状発熱体以外の保護シートや断熱シート、外装シートは、所定の性能があり安全性と作業性、製品化などを考慮し、遠赤外線の放射を阻害するような素材以外は種類を限定するものではなく、装飾性を加味した色や模様またはキルティング材などを利用しても良い。【００２３】  図１にはさらに面状発熱体に岩盤浴などで多用されている遠赤外線を放射する鉱物または加工物を微粉末状にした遠赤外線放射シートを複合した状態を示している。【００２４】  図２は、温熱シートを上下２枚使用して接合した図で、通常はパジャマやガウンまたはビニルなどの衣類などで身体を包んで利用するが、温熱シートを上下２面で使用することで放熱されにくくなり発熱温度は上がり、さらに発汗により高湿状態となって短時間で発汗を顕著に促すことができる。【００２５】  図３は、１枚の温熱シートを使用した場合で、頭部を残し全身をビニルカバーで覆うことにより、放熱が抑制されて高湿状態となり発汗作用が促進される。【００２６】  腰痛や生理痛を緩和し疲労回復や血行促進の効果を得るためには、温熱シート上に横臥すれば良いが、発汗による美容やダイエット効果を求めるためには、前記のように全身を覆うビニルや温熱シートを上下２枚重ねるなどしてさらに発熱効率を上げられるように袋状に接合して利用する。【００２７】  袋状に接合する方法はファスナーでも紐やマジックテープなどによるものでも良いが、完全な機密性を要求されるものではないために素早く着脱ができるマジックテープの利用が良好である。【００２８】  また、効率よく早期に発汗作用を求める場合は、前述の全身を覆うビニルや温熱シートの中に横臥した際に、抗菌作用、消臭作用あるいはアロマセラピーで用いる香料などを予め適量噴霧して、少し湿潤状態にしてから利用すればよい。【００２９】  温熱シートの寸法は適宜であるが、概ね９００ミリ×１，８００ミリ程度で、１人が横臥して頭から足までの全身がシートに納まる程度であれば良く、その他には通電のための電源コードがあり、温度調節、温度センサー、タイマーなどを備えている。【００３０】  なお、この温熱シートは、簡単に取り外して洗濯のできるカバーを用いれば衛生面の配慮もさらに進み、家族やその他でも嫌悪感無く複数で利用できる。【００３１】  この温熱シートは、厚手の毛布程度であるために使用後は丸めて袋などに収納でき、カプセル装置のように広い場所を占領することも無い。【００３２】  またさらにこの温熱シートの一部を分離着脱、または適宜な小型サイズとして、足��腕などに巻きまたは腰や背中にあて、あるいはチョッキ状に被り、使用場所に応じてＡＣまたはＤＣ電源により通電することで、温熱効果と遠赤外線により寒気防止や部分的な疲労回復、痛みの緩和に利用できる。【００３３】  なお従来では、前述のような足、腕、腰などの疲労回復や痛みの緩和、また寒気防止などには使い捨てカイロが利用されていたが、広い患部には数枚を貼り付ける必要があること、肌に直接使用すると粘着剤によりかぶれること、そのために衣類の上から粘着させるため高級衣類が傷むこと、温度調節が利かないこと、そのために途中で剥がしたりする無駄があること、袋の厚みがありゴツゴツして利用できない箇所があること、再利用ができないためにゴミとして処分しなければならないことなど利用勝手が悪いほかに、肝心の遠赤外線の放射量が大きく異なるためにその効果の差は顕著である。【００３４】  このように本発明の面状発熱体を熱源とした温熱シートを利用することで、一般家庭でも簡単で安全、経済的にまた自由な時間を利用して岩盤浴と同様の発汗作用により、美容やダイエット効果が期待でき、さらに腰痛や生理痛を緩和し疲労回復のための効果が得られることとなる。
【図面の簡単な説明】
【００３５】
【図１】本発明の温熱シートの断面図（但し、遠赤外線放射シートを複合した場合の図）
【図２】本発明の温熱シート２枚をマジックテープなどにより接合して袋状にした状態の図
【図３】本発明の温熱シートを敷きビニルで全体を覆い利用者が横臥している状態の図
【符号の説明】
【００３６】  １  面状発熱体
２  面状発熱体の保護シート
３  断熱シート
４  遠赤外線放射シート
５  電導線
６  面状発熱体の接合用マジックテープ
７  外装シート
８  電源コンセント
９  温熱シート
１０  利用者
１１  ビニルカバー
１２  ビニルカバー開口部
【図１】
2008100016.tif 000003
【図２】
2008100016.tif 000004
【図３】
2008100016.tif 000005